(57)【要約】      （修正有）【課題】剥離紙付き貼付剤を見えない部位や手の届きにくい部位にも正確に貼付されるよう補助する貼付剤の剥離紙剥離用紙片を提供する。【解決手段】１対の補助紙片１ａ、１ｂの各補助紙片は長方形紙片の一方の短辺に沿って帯状に接着剤層を形成して表面に剥離紙５ａ、５ｂを貼付し、接着剤層の反対側辺を折り目として剥離紙を外面側にして折り畳み、長方形紙片の反対側辺を手でつかめる長さに形成する。使用の際は補助紙片の各剥離紙を剥がし、貼付剤表面の２枚の剥離紙の境界線両側に境界線を挟んで対称に貼り付ける。続いて一方の補助紙片の開放端部を境界線とは反対方向斜め上方に僅かに引いて貼付剤の剥離紙を僅かに剥がし、露出した膏体表面４を目的部位１１に貼り付け、補助紙片の開放端部を更に引いて剥離紙を更に剥がしながら貼付剤を貼り付ける。反対側も同様に貼り付ける。【選択図】図７
0003183622.tif 000002
【実用新案登録請求の範囲】
【請求項１】
長方形貼付剤の膏体表面を長辺中央を通る境界線を境にその１／２ずつを覆っている２枚の剥離紙を剥がして貼付剤が目的部位に容易、且つ正確に貼付されるよう補助する貼付剤の剥離紙剥離用補助紙片であって、
１対の補助紙片で構成され、各補助紙片は長方形紙片の一方の短辺に沿って帯状の接着剤層を形成してその表面に剥離紙を貼付し、帯状の接着剤層の前記短辺とは反対側辺を折り目として前記剥離紙を外面側にして折り畳み、長方形紙片の長辺は折り目の反対側辺部を手でつかめる長さ、好ましくは前記貼付剤の長辺長さの１／２以上に形成されており、
使用に際しては、補助紙片の各剥離紙を剥がし、前記接着剤層にて前記貼付剤の表面を覆う２枚の剥離紙の境界線の両側に境界線を挟んで対称に貼り付け、続いて一方の補助紙片の開放端部を前記境界線とは反対方向斜め上方に僅かに引くことにより該補助紙片の貼付された貼付剤の剥離紙を僅かに剥がして前記貼付剤の膏体表面を僅かな幅で帯状に露出させ、続いて露出させた膏体表面を目的部位に貼り付け、続いて前記開放端部を更に引くことにより貼付剤の剥離紙を更に剥がしながら露出する膏体表面を目的部位に貼り付けるように使用することを特徴とする剥離紙剥離用補助紙片。
【請求項２】
請求項１に記載の剥離紙剥離用補助紙片であって、前記長方形貼付剤の膏体表面を覆う剥離紙が長辺中央付近に設けた２本の直線、又は２本の波線により３分割されている場合には、前記１対の補助紙片の各剥離紙を剥がして該２本の直線又は波線の外側にそれら線に接近して対称に貼り付け、続いて３分割された剥離紙の中央剥離紙を剥がし、露出した膏体表面でもって目的部位に貼り付け、続いて一方の補助紙片、他方の補助紙片の順に各補助紙片の開放端部を前記折り目とは反対方向に引くことにより貼付剤の剥離紙を剥がしながら露出する膏体表面を目的部位に貼り付けるように使用することを特徴とする剥離紙剥離用補助紙片。
【請求項３】
長方形貼付剤の膏体表面を覆う１枚の剥離紙を剥がして貼付剤が目的部位に容易、且つ正確に貼付されるよう補助する貼付剤の剥離紙剥離用補助紙片であって、
該補助紙片は長方形紙片の一方の短辺に沿って帯状の接着剤層を形成してその表面に剥離紙を貼付し、帯状の接着剤層の前記短辺とは反対側辺を折り目として前記剥離紙を外面側にして折り畳み、長方形紙片の長辺は折り目の反対側辺部を手でつかめる長さ、好ましくは前記貼付剤の長辺より長く形成されており、
使用に際しては、補助紙片の剥離紙を剥がし、前記接着剤層にて前記貼付剤の表面を覆う剥離紙の一方の短辺に沿って貼り付け、続いて補助紙片の開放端部を前記短辺とは反対方向斜め上方に僅かに引くことにより貼付剤の剥離紙を僅かに剥がして貼付剤の膏体表面を僅かな幅で帯状に露出させ、続いて露出させた膏体表面を目的部位に貼り付け、続いて前記開放端部を更に引くことにより貼付剤の剥離紙を更に剥がしながら露出する膏体表面を目的部位に貼り付けるように使用することを特徴とする剥離紙剥離用補助紙片。
【考案の詳細な説明】
【技術分野】
【０００１】
本考案は、消炎、鎮痛等を目的とした剥離紙付き貼付剤を見えない部位や手の届きにくい部位に貼付する際に、表面の剥離紙を上手く剥がして貼付剤が目的とする部位に容易、且つ正確に貼付されるように補助する貼付剤の剥離紙剥離用補助紙片に関する。
【背景技術】
【０００２】
肩こり、腰痛、打撲、捻挫等の治療剤として各種の外用貼付剤が市販されている。これら貼付剤は不織布、紙等の裏打ち支持体上に薬効成分を有する粘着性膏体を塗布し、その表面をポリエチレン等の剥離紙で覆った積層構造をしている。通常、長方形に切断して市販されている。膏体を覆う剥離紙には全体が１枚構成のもの、中央にミシン目または切り目を入れた２枚構成のもの、切り目を２本入れた３枚構成のものがある。使用に際しては剥離紙を剥がし、支持体を手で持ち膏体を患部に当てて貼り付ける。
【０００３】
しかし、支持体は柔らかく膏体は粘着性を有するため、剥離紙を剥がして患部に貼付する間に膏体に皺が生じたり、粘着面同士が貼り付いたり、粘着面が衣服に貼り付いたりし易い。特に、背中、腰などの見えにくい部位や手の届きにくい部位に貼付する際にそうした問題が生じ易く、また、そうした貼り付きに注意する余り目的部位からずれて貼り付けてしまうことも多い。
【０００４】
こうした問題を解決するため、従来、各種の解決策が提案されている。例えば、特許文献１には、剛性を有する平板からなり該平板に貼付剤の対向する２辺を挿入・保持する複数の挿入口を形成した貼付剤貼付用補助具が開示されている。しかし、この補助具の場合、貼り付ける前に３分割された剥離紙の中央剥離紙を剥がして露出させてしまうため貼り付け前にその露出部が衣服等に貼り付くことがある。
【０００５】
また、特許文献２には剥離紙を２枚で構成し、１枚は膏体面の中間部位で上に折り曲げ、その折り曲げ部の上側に２枚目の剥離紙を重合した状態で膏体に貼付した貼用薬が開示されている。特許文献３にも類似構造のパップ剤が開示されている。しかし、これら貼用薬、パップ剤は剥離紙を剥がすには便利ではあるが、貼付前に片方の剥離紙を剥がして膏体面を露出させてから貼り付けるため膏体に皺ができたり衣服等に貼り付いたりすることを完全には防止できない。また、剥がす際に掴む剥離紙の端部が四角形状貼用薬の中央付近に位置するため見えない部位や手の届きにくい部位への貼付には困難が伴う。
【先行技術文献】
【特許文献】
【０００６】
【特許文献１】特開２００８−３５９３４号公報
【特許文献２】特開２０００−３５１７２７号公報
【特許文献３】特開２０００−２１９６２２号公報
【考案の開示】
【考案が解決しようとする課題】
【０００７】
本考案は、従来技術のこうした問題点を解決するためになされたもので、その課題は消炎、鎮痛等を目的とした剥離紙付き貼付剤を見えない部位や手の届きにくい部位に貼付する際に、表面の剥離紙を上手く剥がして貼付剤が目的とする部位に容易、且つ正確に貼付されるように補助する貼付剤の剥離紙剥離用補助紙片を提供することにある。
【課題を解決するための手段】
【０００８】
前記課題を解決するための請求項１に記載の考案は、長方形貼付剤の膏体表面を長辺中央を通る境界線を境にその１／２ずつを覆っている２枚の剥離紙を剥がして貼付剤が目的部位に容易、且つ正確に貼付されるよう補助する貼付剤の剥離紙剥離用補助紙片であって、１対の補助紙片で構成され、各補助紙片は長方形紙片の一方の短辺に沿って帯状の接着剤層を形成してその表面に剥離紙を貼付し、帯状の接着剤層の前記短辺とは反対側辺を折り目として剥離紙を外面側にして折り畳み、長方形紙片の長辺は折り目の反対側辺部を手でつかめる長さ、好ましくは貼付剤の長辺長さの１／２以上に形成されており、使用に際しては、補助紙片の各剥離紙を剥がし、接着剤層にて貼付剤の表面を覆う２枚の剥離紙の境界線の両側に境界線を挟んで対称に貼り付け、続いて一方の補助紙片の開放端部を前記境界線とは反対方向斜め上方に僅かに引くことにより該補助紙片の貼付された貼付剤の剥離紙を僅かに剥がして貼付剤の膏体表面を僅かな幅で帯状に露出させ、続いて露出させた膏体表面を目的部位に貼り付け、続いて前記開放端部を更に引くことにより貼付剤の剥離紙を更に剥がしながら露出する膏体表面を目的部位に貼り付けるように使用することを特徴とする剥離紙剥離用補助紙片である。
【０００９】
このような補助紙を用い、最初に貼付剤表面の剥離紙の一部を剥がして露出させた膏体部分を目的部位に貼り付けて位置決めした後、残り部分の剥離紙を補助紙片を引いて更に剥がしながら貼り付けていけば貼付剤を正確に目的部位に貼り付けることができる。補助紙は細長に形成されているので背中、腰などの見えにくい部位や手の届きにくい部位にも比較的容易に貼り付けることができる。また、補助紙片を引くことにより貼付剤の支持体に張力を与えながら貼り付けるので貼付剤に皺が生じなく、貼り付け途中に膏体表面が露出しないので膏体の表面同士が貼り付いたり膏体が衣服に貼り付いたりすることもない。
【００１０】
また、請求項２に記載の考案は、請求項１に記載の剥離紙剥離用補助紙片であって、前記長方形貼付剤の膏体表面を覆う剥離紙が長辺中央付近に設けた２本の直線、又は２本の波線により３分割されている場合には、１対の補助紙片の各剥離紙を剥がして該２本の直線又は波線の外側にそれら線に接近して対称に貼り付け、続いて３分割された剥離紙の中央剥離紙を剥がし、露出した膏体表面でもって目的部位に貼り付け、続いて一方の補助紙片、他方の補助紙片の順に各補助紙片の開放端部を前記折り目とは反対方向に引くことにより貼付剤の剥離紙を剥がしながら露出する膏体表面を目的部位に貼り付けるように使用することを特徴とする剥離紙剥離用補助紙である。
【００１１】
このような補助紙を用いれば請求１記載の考案と同様な効果が得られる。
【００１２】
また、請求項３に記載の考案は、長方形貼付剤の膏体表面を覆う１枚の剥離紙を剥がして貼付剤が目的部位に容易、且つ正確に貼付されるよう補助する貼付剤の剥離紙剥離用補助紙片であって、該補助紙片は長方形紙片の一方の短辺に沿って帯状の接着剤層を形成してその表面に剥離紙を貼付し、帯状の接着剤層の前記短辺とは反対側辺を折り目として前記剥離紙を外面側にして折り畳み、長方形紙片の長辺は折り目の反対側辺部を手でつかめる長さ、好ましくは前記貼付剤の長辺より長く形成されており、使用に際しては、補助紙片の剥離紙を剥がし、接着剤層にて貼付剤の表面を覆う剥離紙の一方の短辺に沿って貼り付け、続いて補助紙片の開放端部を前記短辺とは反対方向斜め上方に僅かに引くことにより貼付剤の剥離紙を僅かに剥がして貼付剤の膏体表面を僅かな幅で帯状に露出させ、続いて露出させた膏体表面を目的部位に貼り付け、続いて前記開放端部を更に引くことにより貼付剤の剥離紙を更に剥がしながら露出する膏体表面を目的部位に貼り付けるように使用することを特徴とする剥離紙剥離用補助紙片である。
【００１３】
このような補助紙を用いた場合も請求１記載の考案と同様な効果が得られる。
【図面の簡単な説明】
【００１４】
【図１】剥離紙剥離用補助紙片１を用いる対象である貼付剤２の形態の一例である。
【図２】一方の補助紙片１ａの平面図と断面図である。
【図３】補助紙片１ａの折り畳み方の説明図である。
【図４】補助紙片１を貼付剤２に貼り付けた状態の断面図である。
【図５】一方の補助紙片１ａの開放端部を斜め上方に引く状態図である。
【図６】補助紙片１ａを引いて剥離紙５ａを僅かに剥がした状態図である。
【図７】貼付剤２の剥離紙５ａを剥がしながら膏体４を目的部位に貼り続ける説明図である。
【図８】３分割された剥離紙で表面を覆う貼付剤の形状図の例である。
【図９】図８の貼付剤の剥離紙に補助紙片を貼り付けた状態の断面図である。
【図１０】図９の状態から中央の剥離紙を剥がした状態の断面図である。
【図１１】１枚の剥離紙で表面全体を覆う貼付剤の形状図の例である。
【図１２】図１１の貼付剤の剥離紙に補助紙片を貼り付けた状態の断面図である。
【図１３】図１２の状態から剥離紙の一部を剥がした状態の断面図である。
【図１４】図１３の状態から貼付剤を目的部位に貼りつけ剥離紙５ａを剥がしながら膏体４を貼り続ける説明図である。
【考案を実施するための形態】
【００１５】
以下、本考案に係る貼付剤の剥離紙剥離用補助紙片の一実施形態について図面を参照して説明する。図１は本考案に係る剥離紙剥離用補助紙片１を用いる対象である貼付剤２の形態の一例であり、図１の（１）は平面図、図１の（２）は断面図である。貼付剤２は長方形をしており、不織布、紙等の裏打ち支持体３の上に薬効成分を有する粘着性の膏体４を塗布し、その表面をポリエチレン、紙、不織布等の剥離紙５で覆った積層構造にしてある。剥離紙５は貼りやすいように長辺中央に直線状切り目６を入れて左側剥離紙５ａ、右側剥離紙５ｂに２分割されている。本考案に係る剥離紙剥離用補助紙片はこのような貼付剤２を見えない部位や手の届きにくい部位に貼付する際に、表面の剥離紙を上手く剥がし、貼付剤２が目的とする部位に容易、且つ正確に貼付されるように補助するものである。
【００１６】
本考案に係る剥離紙剥離用補助紙片１は同構成の一対の補助紙片１ａ、１ｂで構成され、図２の（１）は一方の補助紙片１ａの平面図、図２の（２）は断面図である。補助紙片１は長方形状をしており、その短辺の幅（図の上下方向）は貼付剤２の短辺（図１の（１）の上下方向）と同じ、又はそれより若干狭く形成してある。長さ方向（図の横方向）の一方の短辺８近くには接着剤を塗布して接着剤層９を形成し、その表面に補助紙片剥離紙１０が貼り付けてある。接着剤層９は短辺８の長さと等しい長さの帯状で、短辺８に沿って形成されている。補助紙片剥離紙１０は接着剤層９の平面形状と同じ、又は横幅を若干広く形成し、一方の辺を接着剤層９の前記一方の短辺８側の辺に一致させて貼りつけてある。補助紙片１の材料には不織布、合成紙等を用いてもよい。補助紙片剥離紙１０にはポリエチレン、紙、不織布等を使用する。
【００１７】
このように形成した補助紙片１は、接着剤層９が形成された部分を補助紙片剥離紙１０とともに補助紙片１の本体部裏側に折り畳んだ状態で保管する。図３は折り畳み方の説明図で、図３の（１）に示すように接着剤層９の短辺８とは反対側の辺を折り目として補助紙片剥離紙１０が外面になるようにして折り畳む。補助紙片１の長辺の長さは、この折り畳んだ状態で折り目とは反対側の辺部を手でつかめる長さ、好ましくは前記貼付剤２の長辺長さの１／２以上に形成しておく。
【００１８】
次に、このように形成した剥離紙剥離用補助紙片１の使用方法について説明する。最初に一対の補助紙片１の各補助紙片剥離紙１０を剥がし、図４の断面図に示すように帯状の接着剤層９にて貼付剤２の２枚の剥離紙５ａ、５ｂの境界線（直線状切り目）６の両側に境界線６を挟んで対称に貼り付ける。続いて図５に示すように一方の補助紙片１ａの開放端部を手でもって境界線６とは反対方向斜め上方に僅かに引き、図６に示すように補助紙片１ａの貼付された剥離紙５ａを僅かに剥がして貼付剤２の膏体４の表面を僅かな幅で帯状に露出させる。
【００１９】
その状態にて図７に示すように露出させた膏体４の表面を目的部位１１に貼り付け、開放端部を境界線６とは反対方向に更に引いて貼付剤２の剥離紙５ａを更に剥がしながら露出する膏体４表面を目的部位に貼り続ける。そして、最終的に補助紙片１ａの全体を剥離紙５ａから剥がしとって貼付剤２の半分を目的部位１１に貼り付ける。続けて他方の補助紙片１ｂも補助紙片１ａの場合と同様に他方の剥離紙５ｂから剥がしながら膏体４の残り半分を目的部位１１に貼り付ける。
【００２０】
このように、本考案の剥離紙剥離用補助紙片１は最初に貼付剤２表面の剥離紙５ａの一部を剥がして露出した膏体４部分を目的部位１１に貼り付けて位置決めし、続いて補助紙片１ａを更に引いて残り部分の剥離紙５ａを剥がしながら貼付剤２を貼り付けていく。このため貼付剤２を正確に目的部位１１に貼り付けることができる。補助紙は細長に形成されているので背中、腰などの見えにくい部位や手の届きにくい部位でも比較的容易に貼り付けることができる。また、補助紙片１ａ、１ｂを引くことにより貼付剤２の支持体３に張力を与えながら貼り付けるので貼付剤２に皺が生じることがなく、貼り付け途中に膏体４表面が露出しないので膏体４の表面同士が貼り付いたり、膏体４が衣服に貼り付いたりすることもない。
【００２１】
上記実施形態は図１に示したように貼付剤２の表面を覆う剥離紙５が中央で２分割されている場合の使用方法であるが、市販の貼付剤には図８の（１）に示すように剥離紙が２本の直線状切り目２０ａ、２０ｂで３分割されているもの、図８の（２）に示すように２本の波状切り目２１ａ、２１ｂで３分割されているものがある。このような貼付剤を本考案の剥離紙剥離用補助紙片１を使用して貼付する場合は、図９に示すように補助紙片１ａ、１ｂをそれら２本の切り目の外側に貼り付ける。
【００２２】
次に３分割された剥離紙の中央の剥離紙を図１０に示すように剥がしてその部分の膏体４を露出させる。続いて露出させた部分を目的部位に貼り付け、前記実施形態と同様に補助紙片１ａ、１ｂを順に引き剥がしながら貼付剤を貼り付ける。このようにすることで前記実施形態の場合と同様に貼付剤を目的部位に正確に、且つ皺を生じさせることなく、膏体４の表面同士が貼り付いたり衣服に貼り付いたりすることもなく貼り付けることができる。
【００２３】
更に、市販の貼付剤には図１１に示すように貼付剤の表面全体が１枚の剥離紙５ａで覆われているものがある。このような貼付剤を貼り付けるには、前記剥離紙剥離用補助紙片１の片側の補助紙片１ａのみを使用する。片側の補助紙片１ａを図１２の断面図に示すように貼付剤の表面を覆う剥離紙の一方の短辺に沿って貼り付ける。続いて図１３に示すように補助紙片の開放端部を前記短辺とは反対方向斜め上方に僅かに引くことにより貼付剤の剥離紙を僅かに剥がし、貼付剤の膏体表面を僅かな幅で帯状に露出させる。続いて図１４に示すように露出させた膏体表面を目的部位に貼り付け、開放端部を更に引くことにより貼付剤の剥離紙を更に剥がしながら露出する膏体表面を目的部位に貼り付ける。このようにすることで前記実施形態の場合と同様に貼付剤を目的部位に正確に、且つ皺を生じさせることなく、膏体４の表面同士が貼り付いたり衣服に貼り付いたりすることもなく貼り付けることができる。
【符号の説明】
【００２４】
図面中、１は剥離紙剥離用補助紙片、１ａ、１ｂは補助紙片、２は貼付剤、４は膏体、５、５ａ、５ｂは剥離紙、６は境界線、８は短辺、９は接着剤層、１０は補助紙片剥離紙を示す。
【図１】
0003183622.tif 000003
【図２】
0003183622.tif 000004
【図３】
0003183622.tif 000005
【図４】
0003183622.tif 000006
【図５】
0003183622.tif 000007
【図６】
0003183622.tif 000008
【図７】
0003183622.tif 000009
【図８】
0003183622.tif 000010
【図９】
0003183622.tif 000011
【図１０】
0003183622.tif 000012
【図１１】
0003183622.tif 000013
【図１２】
0003183622.tif 000014
【図１３】
0003183622.tif 000015
【図１４】
0003183622.tif 000016